(57)【特許請求の範囲】
【請求項１】
開閉扉に固定される錠前のハンドルケース１と、ハンドルケース１に内装されかつバネ１３でハンドルケース１の外方向に常時付勢された錠把手１０と、この錠把手の筒状部１２に取り外し可能に嵌合するシリンダー錠２５と、このシリンダー錠のオネジ２８に螺合するメネジ３２を有する筒状の装着部３３と該装着部３３の一方の周端部から延設する抜脱防止片用当接アーム３４とを有する筒状の抜脱防止片変形防止具３０と、Ｌ字型又はコ字型に形成されていると共に、錠把手１０の嵌合支持部２０の外壁面と面接触の状態で当接する係止部４２と該係止部４２から直交方向に延設すると共に前記シリンダー錠２５のフラット面と前記当接アームの面状内壁面３６との間に生ずる間隙３５に前記内壁面に線ないし面接触の状態で支持されるように錠把手の筒状部１２の貫通孔１８を介して差し込まれる脚部４１とをと有する抜脱防止片４０と、該抜脱防止片４０を前記筒状部１２に固定する固着具４３とを備える錠前の錠把手とシリンダー錠との固定構造。
【請求項２】
請求項１において、当接変形防止アーム３４ａは肉厚に形成されていることを特徴とする錠前の錠把手とシリンダー錠との固定構造。
【請求項３】
請求項１又は請求項２に於いて、抜脱防止片用当接アーム３４は、合計４本設けられており、シリンダー錠２５の２個のフラット面２７、２７とそれぞれ所要間隙３５、３５を有して対向する２本の当接変形防止アーム３４ａ、３４ａと、これらの当接変形防止アーム３４ａ、３４ａと交差方向に対設する当接ガイドアーム３４ｂ、３４ｂとから成ることを特徴とする錠前の錠把手とシリンダー錠との固定構造。
【請求項４】
請求項１において、抜脱防止片嵌合支持部２０の近傍には突起部１９が形成され、一方、この突起部１９が係合する係合切欠部７を開口側の周壁部に有するガイド筒５がハンドルケース１とシリンダー錠との間に介在していることを特徴とする錠前の錠把手とシリンダー錠との固定構造。
【請求項５】
開閉扉に固定される錠前のハンドルケース１と、ハンドルケース１に内装
されかつバネ１３でハンドルケース１の外方向に常時付勢された錠把手１０と、この錠把手の筒状部１２に取り外し可能に嵌合するシリンダー錠２５Ａと、このシリンダー錠のオネジ２８Ａに螺着された筒状の抜脱防止具３０Ａと、Ｌ字型又はコ字型に形成されていると共に、錠把手１０の嵌合支持部２０の外壁面と面接触の状態で当接する係止部４２と該係止部４２から直交方向に延設すると共に前記シリンダー錠２５Ａのフラット面２７Ａとシリンダー錠２５Ａの環状部５０に延設された当接変形防止アーム５１の面状内壁面３６Ａとの間に生ずる間隙３５Ａに前記内壁面に線ないし面接触の状態で支持されるように錠把手の筒状部１２の貫通孔１８を介して差し込まれる脚部４１とをと有する抜脱防止片４０Ａと、該抜脱防止片４０Ａを前記筒状部１２に固定する固着具４３とを備える錠前の錠把手とシリンダー錠との固定構造。
【発明の詳細な説明】
【０００１】
【産業上の利用分野】
本願発明は自動販売機やコインロッカーの開閉扉に装着される錠前の錠把手とシリンダー錠との固定構造に関する。
【０００２】
【従来の技術】
従来、自動販売機やコインロッカーの開閉扉に装着される錠前は、基本的には開閉扉に固定される錠前のハンドルケースと、このハンドルケース内に直接又は間接的に嵌合する錠把手と、この錠把手の筒状部に取り外し可能に嵌合するシリンダー錠とから構成され、泥棒に対する盗難防止対策として、錠前の錠把手とシリンダー錠との固定構造が工夫されている。
【０００３】
この固定構造で問題にすべき点は、泥棒が工具を利用して錠把手からシリンダー錠を引き抜こうとしても、容易にシリンダー錠が抜けないことであり、またシリンダー錠のキー穴に細い長板片を差し込み、シリンダー錠を周方向に回そうとしても回転しないことである。
【０００４】
そこで、これらの問題点を解消するために、錠把手の筒状部の前部に形成された半径方向の貫通孔に抜脱防止片としてのコ字型係合具を差し込み、このコ字型係合具を固着具を介して錠把手の筒状部に固定する。
【０００５】
この場合コ字型係合具の係止脚部にシリンダー錠の外壁に形成された係止溝と係合するネジ状係止部を形成している。
【０００６】
しかしながら、上記構成においては、前者の問題点を一応解決することができるとはいうものの、後者の問題点を十分に解決することができない。
【０００７】
【発明が解決しようとする課題】
本願発明は以上のような従来の欠点に鑑み、固定構造で問題にすべき２点、すなわち、シリンダー錠が錠把手から容易に抜けないと同時に、錠把手内で周方向に回転しない錠前の錠把手とシリンダー錠との固定構造を得ることである。そこで、本願発明の第１の目的は、シリンダー錠のネジ部に一体的に螺着する抜脱防止片変形防止具又は筒状抜脱防止具と錠把手の筒状部に固定される抜脱防止片とが相俟ってシリンダー錠が錠把手から容易に抜けないことであり、また第２の目的は、シリンダー錠を周方向に力一杯回そうとしても、前記抜脱防止片が容易に変形しないことである。
【０００８】
【課題を解決するための手段】
本願発明の錠前の錠把手とシリンダー錠との固定構造は、開閉扉に固定される錠前のハンドルケース１と、ハンドルケース１に内装されかつバネ１３でハンドルケース１の外方向に常時付勢された錠把手１０と、この錠把手の筒状部１２に取り外し可能に嵌合するシリンダー錠２５と、このシリンダー錠のオネジ２８に螺合するメネジ３２を有する筒状の装着部３３と該装着部３３の一方の周端部から延設する抜脱防止片用当接アーム３４とを有する筒状の抜脱防止片変形防止具３０と、Ｌ字型又はコ字型に形成されといると共に、錠把手１０の嵌合支持部２０の外壁面２０ａと面接触の状態で当接する係止部４２と該係止部４２から直交方向に延設すると共に前記シリンダー錠２５のフラット面と前記当接アームの面状内壁面３６との間に生ずる間隙３５に前記内壁面に線ないし面接触の状態で支持されるように錠把手の筒状部１２の貫通孔１８を介して差し込まれる脚部４１とをと有する抜脱防止片４０と、該抜脱防止片４０を前記筒状部１２に固定する固着具４３とを備えることを特徴とする。
【０００９】
また本願発明の錠前の錠把手とシリンダー錠との固定構造は、開閉扉に固定される錠前のハンドルケース１と、ハンドルケース１に内装されかつバネ１３でハンドルケース１の外方向に常時付勢された錠把手１０と、この錠把手の筒状部１２に取り外し可能に嵌合するシリンダー錠２５Ａと、このシリンダー錠のオネジ２８Ａに螺着された筒状の抜脱防止具３０Ａと、Ｌ字型又はコ字型に形成されといると共に、錠把手１０の嵌合支持部２０の外壁面２０ａと面接触の状態で当接する係止部４２と該係止部４２から直交方向に延設すると共に前記シリンダー錠２５Ａのフラット面２７Ａとシリンダー錠２５Ａの環状部５０に延設された当接変形防止アーム５１の面状内壁面３６Ａとの間に生ずる間隙３５Ａに前記内壁面に線ないし面接触の状態で支持されるように錠把手の筒状部１２の貫通孔１８を介して差し込まれる脚部４１とをと有する抜脱防止片４０Ａと、該抜脱防止片４０Ａを前記筒状部１２に固定する固着具４３とを備えることを特徴とする。
【００１０】
【作用】
シリンダー錠が錠把手に組み込まれ、抜脱防止片が固着具を介してシリンダー錠の筒状部に固定されている場合に於いて、例えば泥棒がシリンダー錠のキー孔に細い長板片を差し込み、力の有る限り周方向に回転しようとした時、シリンダー錠側から抜脱防止片の脚部及び当接変形防止アームの両方に強力な力が加わる。
【００１１】
しかしながら、所要間隙に差し込まれた抜脱防止片の脚部の外壁面と当接変形防止アームの内壁面とは密接状態な関係にあるので、抜脱防止片の脚部は変形しようにも変形することができない。
【００１２】
【実施例】
以下、図面に示す実施例により本願発明を詳細に説明する。図１ないし図７は第１実施例である。１は自動販売機、コインロッカーなどの開閉扉に固定される錠前のハンドルケースで、このハンドルケース１は鍔状に形成された嵌合部２と、嵌合部に連設する円筒状部３とから成る。ハンドルケース１の嵌合部は正面側から見るとＴ字型、Ｏ字型等任意の形状に形成され、また前記円筒状部３の後壁には貫通孔４が形成されている。
【００１３】
５はハンドルケース１の円筒状部３に回動可能に内装されるガイド筒である。このガイド筒５の上下部には軸芯方向にガイド切欠部６が形成され、また開口側の周壁部の適宜部位には矩形状の係合切欠部７が形成され、さらに後部側の有壁には前記貫通孔４を貫通する係合ボルト８が一体的に設けられている。係合ボルト８には図示しない長板状の係合板がナツト９等の固定具を介して取り付けられ、例えば自動販売機本体側の係合部と間接的に係合する。
【００１４】
１０はハンドルケース１内にガイド筒５を介して摺動可能に嵌合する錠把手で、この錠把手１０はハンドルケース１の嵌合部２に嵌合するややＴ字型状の把手部１１と、この把手部１１に連設する筒状部１２とから成る。錠把手１０もハンドルケース１の嵌合部２の断面形状に対応して任意の断面形状に形成される。
【００１５】
１３は錠把手１０の筒状部１２の後端外側面とガイド筒５の後壁内面との間に介在するバネで、このバネ１３により錠把手１０はハンドルケース１の外方向に常時付勢されている。なお、特に図示しないが、錠把手の後方部には駆動カムが回動可能に内装され、この駆動カムにはロック片が係合している。
【００１６】
１８は錠把手１０の筒状部１２の前部に所要間隔を有して形成された抜脱防止片用貫通孔である。この抜脱防止片用貫通孔１８は小さな四角形状で、筒状部１２の半径方向に合計２個づつ対設して形成されている。
【００１７】
１９は前記抜脱防止片用貫通孔１８の前後に位置するように筒状部１２の前部外壁に突出形成され、かつ、ガイド筒５の係合切欠部７に係合あるいは嵌合する突起部である。この突起部１９はガイド筒５の係合切欠部７との係合関係を十分に考慮し、筒状部１２の軸芯方向に幅広に形成するのが望ましい。
【００１８】
２０は錠把手１０の筒状部１２の前記突起部１９に形成された抜脱防止片用嵌合支持部で、この嵌合支持部２０は突起部１９よりも肉厚が薄く、その中央部には貫通孔、本実施例では固着具用メネジ孔２１が形成されている。なお、嵌合支持部２０の外壁面はフラット状である。
【００１９】
２２は錠把手１０の筒状部１２の内壁に突出形成され、かつ、後述する抜脱防止片変形防止具の被係合部と係合する突条或いは長溝状の係合部である。この係合部２２は、本実施例では筒状部１２の軸芯方向に形成された複数本（合計４個）の突条である。
【００２０】
２５は錠把手１０に取り外し可能に嵌合するシリンダー錠で、このシリンダー錠２５にはキー２６が差し込まれる。シリンダー錠２５の外周壁には、図２で示すように上下にフラット面２７、２７が形成され、またフラット面２７、２７を除いたその他の部分にはオネジ２８が形成されている。そして、シリンダー錠２５にはキー２６の操作で回動し、かつ、駆動カムの嵌合孔と嵌合する駆動軸２９が設けられている。
【００２１】
３０はシリンダー錠２５の外周壁に装着される抜脱防止片変形防止具である。この抜脱防止片変形防止具３０は、本実施例ではシリンダー錠２５に螺着されている。
【００２２】
ところで、抜脱防止片変形防止具３０は、図２乃至図７で示すように、外周壁に前述した錠把手１０の突条係合部２２と係合する長溝状の被係合部３１を有し、一方、内周壁の適宜箇所に前述したシリンダー錠２５のオネジ２８と螺合するメネジ３２を有する筒状の装着部３３と、この装着部３３の一方の周端部から軸芯方向に延設する抜脱防止片用当接アーム３４とから成る。
【００２３】
そして、前記抜脱防止片用当接アーム３４は、本実施例では合計４本設けられており、シリンダー錠２５のフラット面２７、２７とそれぞれ所要間隙３５、３５を有して対向する２本の当接変形防止アーム３４ａ、３４ａは、他の２本の当接ガイドアーム３４ｂ、３４ｂとは多少相違している。
【００２４】
すなわち、図２で示すようにフラット面２７、２７とそれぞれ対設する一対の当接変形防止アーム３４ａ、３４ａは、これらの当接変形防止アーム３４ａ、３４ａとは直交方向に対設する一対の当接ガイドアーム３４ｂ、３４ｂよりも肉厚に形成され、かつ、それらの内壁面３６、３６はフラット面２７、２７と同様に面状に形成されている。なお、前記当接変形防止アーム３４ａ、３４ａは、本実施例では上下に対設しているが、必ずしも対設する必要がなく、当接変形防止アーム３４ａを１本のみ設けても良い。
【００２５】
４０は錠把手１０の筒状部１２の抜脱防止片用貫通孔１８及びシリンダー錠２５のフラット面２７と当接変形防止アーム３４ａの内壁面３６との間に生ずる所要間隙３５に脚部４１が差し込まれるＬ字型又はコ字型の抜脱防止片である。この抜脱防止片４０は、本実施例では図２又は図６で示すようにコ字型状に形成され、錠把手１０の嵌合支持部２０の外壁面２０ａと面接触の状態で当接する係止部４２と、この係止部４２から直交方向に延設する前記一対の脚部４１、４１とから成る。そして、前記係止部４２の中央部には固着具４３用係止貫通孔４４が形成されている。固着具用の係止貫通孔４４は前述した固着具用メネジ孔２１と符合する。また抜脱防止片４０は、その脚部４１がストッパー機能を有するように前記抜脱防止片変形防止具３０と交差した状態で抜脱防止片変形防止具３０の装着部３３の周端面と当接する。なお、抜脱防止片４０の脚部４１は、設計上容易に変形しないように肉厚にするのが望ましい。
【００２６】
上記構成に於いては、まずキー２６を解錠方向に回転し、錠把手１０がバネ１３のバネ力によりガイド切欠部６と係合するガイドピン１４に案内されながらガイド筒５から所定量飛び出す。この場合ガイド筒５が設けられていない実施例に於いては、錠把手１０はハンドルケース１から直接飛び出す。
【００２７】
そこで、シリンダー錠２５を交換しようとする場合は、まず固着具４３を緩めて嵌合支持部２０の固着具用メネジ孔２１から取り外し、次に抜脱防止片４０を錠把手１０の貫通孔１８から引き抜く。その結果、シリンダー錠２５の抜脱防止片変形防止具３０は抜脱防止片４０から開放され、キー２６を介してシリンダー錠２５を錠把手１０から引き抜くことができる。この場合抜脱防止片変形防止具３０は、図５で示すようにシリンダー錠２５と共に錠把手１０から引き抜かれる。
【００２８】
ところで、シリンダー錠２５が錠把手１０に組み込まれ、抜脱防止片４０が固着具４３を介してシリンダー錠２５の嵌合支持部２０に固定されている場合に於いて、例えば泥棒がシリンダー錠２５のキー孔に細い長板片を差し込み、力の有る限り周方向に回転しようとした時、シリンダー錠２５側から抜脱防止片４０の脚部４１、４１及び抜脱防止片変形防止具３０の当接変形防止アーム３４ａ、３４ａの両方に強力な力が加わる。
【００２９】
しかしながら、所要間隙３５、３５に差し込まれた抜脱防止片４０の脚部４１、４１の外壁面４１ａ、４１ａと当接変形防止アーム３４ａ、３４ａの内壁面とは密接状態な関係にあるので、抜脱防止片４０の脚部４１、４１は変形しようにも変形することができない。すなわち、シリンダー錠２５のフラット面２７、２７側から抜脱防止片４０の脚部４１、４１に周方向への変形（圧接）力が作用しても、抜脱防止片４０の脚部４１、４１は線ないし面接触の状態で肉厚状当接変形防止アーム３４ａ、３４ａの内壁面に支持される。
【００３０】
したがって、抜脱防止片４０の脚部４１、４１は外拡変位しない。なお、上記圧接力が変形防止具３０に作用した場合、錠把手１０の筒状部１２の係合部２２と係合関係にある変形防止具３０自体もシリンダー錠２５の回転を阻止している。またシリンダー錠２５を錠把手１０から引き抜こうとしても、抜脱防止片４０の脚部４１、４１はシリンダー錠２５と一体（螺着）関係にある変形防止具３０の装着部３３に当接しているので、シリンダー錠２５を容易に引き抜くことができない。
【００３１】
【異なる実施例】
次に本願発明の異なる実施例につき説明する。なお、第１実施例と同一の部分には同一の符号を付し、重複する説明を省略する。
【００３２】
図８乃至図１１に示す本願発明の第２実施例に於いて、第１実施例と主に異なる点は、筒状抜脱防止具３０Ａに当接変形防止アームなどを有する当接アームを形成するのではなく、シリンダー錠２５Ａの環状部５０にＬ又はコ字型抜脱防止片４０Ａ用の当接変形防止アーム５１を形成した点である。
【００３３】
すなわち、シリンダー錠２５Ａの外筒の環状部５０には、環状部５０と連設するネジ部の上方フラット面２７Ａに対向するように当接変形防止アーム５１が所要の長さ延設されている。つまり図１１で示すように、この当接変形防止アーム５１の内壁面３６Ａとシリンダー錠２５Ａのフラット面２７Ａとの間に生ずる間隙３５Ａに抜脱防止片４０Ａの脚部４１が差し込まれる。
【００３４】
したがって、この実施例では筒状抜脱防止具３０Ａはシリンダー錠２５Ａのオネジ２８Ａと螺着し、該シリンダー錠２５Ａと一体的に結合しているので、抜脱防止具３０Ａは、シリンダー錠２５Ａに対してはストッパー機能を有する抜脱防止片４０Ａと相俟ってシリンダー錠２５Ａが錠把手１０Ａから抜脱するのを防止するが、抜脱防止片４０Ａに対しては脚部４１の変形を防止する機能を有しない。この第２実施例では、当接変形防止アーム５１は１本のみ設けられているが、上下のフラット面２７Ａに対面するように一対設けても良い。
【００３５】
なお、この第２実施例に於いて、シリンダー錠２５Ａに当接変形防止アーム５１を形成せず、抜脱防止片４０Ａの脚部４１自体の肉厚を厚いものにしても良い。
【００３６】
【発明の効果】
以上の説明から明らかなように、本願発明にあっては次に列挙するような効果がある。
（１）シリンダー錠のネジ部に一体的に螺着する抜脱防止片変形防止具又は筒状抜脱防止具と錠把手の筒状部に固定される抜脱防止片とが相俟ってシリンダー錠が錠把手から容易に抜けない。
（２）シリンダー錠を周方向に力一杯回そうとしても、前記抜脱防止片が容易に変形しない。特に当接変形防止アーム（３４ａ、５１）の内壁面（３６、３６Ａ）がシリンダー錠（２５、２５Ａ）のフラット面（２７、２７Ａ）と同様に面状に形成されている場合は、抜脱防止片（４０、４０Ａ）の脚部は当接変形防止アームの内壁面に、いわば線〜面接触の状態で圧接するので、きわめて容易に外拡変位しない。
（３）抜脱防止片用当接アーム３４が、合計４本設けられており、シリンダー錠２５の２個のフラット面２７、２７とそれぞれ所要間隙３５、３５を有して対向する２本の当接変形防止アーム３４ａ、３４ａと、これらの当接変形防止アーム３４ａ、３４ａと交差方向に対設する当接ガイドアーム３４ｂ、３４ｂとから成る実施例に於いては、抜脱防止片４０を抜脱防止片変形防止具３０の当接アーム３４に位置決めされた状態で容易に差し込むことができる。
（４）錠把手１０の筒状部１２の前部に形成された貫通孔１８を有する抜脱防止片嵌合支持部２０の近傍に突起部１９が形成され、一方、この突起部１９が係合する係合切欠部７を開口側の周壁部に有するガイド筒５がハンドルケース１とシリンダー錠との間に介在している実施例に於いては、錠把手１０が軸心方向にスムースに案内されると共に、該錠把手を介して係合ボルト８を有するガイド筒を回転することができる。
【図面の簡単な説明】
図１ないし図７は本願発明の第１実施例の各説明図。図８及び図１１は本願発明の第２実施例の各説明図。
【図１】第１実施例の錠前の基本的な部材の組合わせを示す説明図。
【図２】図１の２ー２線概略縦断面説明図。
【図３】一部切欠の分解斜視図。
【図４】要部分解斜視図。
【図５】シリンダー錠に抜脱防止片変形防止具を螺着した状態の説明図。
【図６】抜脱防止片変形防止具と抜脱防止片との関係を示す説明図。
【図７】主要部材の結合関係を示す説明図。
【図８】第２実施例の一部切欠の分解斜視図。
【図９】要部の分解斜視図。
【図１０】要部の説明図。
【図１１】要部の説明図。
【符号の説明】
１…ハンドルケース、５…ガイド筒、１０、１０Ａ…錠把手、１２…筒状部、１８…貫通孔、１９…突起部、２０…嵌合支持部、２５、２５Ａ…シリンダー錠、２７、２７Ａ…フラット面、２８、２８Ａ…オネジ、３０…抜脱防止片変形防止具、３０Ａ…筒状の抜脱防止具、３４…当接アーム、３４ａ、５１…当接変形防止アーム、３６、３６Ａ…内壁面、３５、３５Ａ…間隙、４０、４０Ａ…抜脱防止片、４１、４１Ａ…脚部、４３…固着具。
【図１】
0003632708.tif 000002
【図２】
0003632708.tif 000003
【図３】
0003632708.tif 000004
【図４】
0003632708.tif 000005
【図５】
0003632708.tif 000006
【図６】
0003632708.tif 000007
【図７】
0003632708.tif 000008
【図８】
0003632708.tif 000009
【図９】
0003632708.tif 000010
【図１０】
0003632708.tif 000011
【図１１】
0003632708.tif 000012